(57)【特許請求の範囲】
【請求項１】
フォトンモード光情報記録媒体の記録及び再生の少なくとも一方を行う情報記録再生装置であって、
前記情報記録装置は、
開口部を有するハウジングと、前記開口部を塞ぐ閉じ位置と、前記開口部を開放する開き位置との間を移動可能に設けられるシャッターとを備え、内部にフォトンモード光情報記録媒体が収納されたディスクカートリッジと、
前記ディスクカートリッジを保持する保持部と、
前記ディスクカートリッジへの迷光の侵入を抑制する遮光板を有し、前記保持部に取り付けられる構造体と、を有し、
前記ハウジング及び前記シャッターの少なくとも一方は、前記閉じ位置にあるシャッターと前記ハウジングとの間の隙間を少なくとも２段階に折り曲げられた形状にする光路折曲部を有するフォトンモード光情報記録再生装置。
【請求項２】
前記光路折曲部は、前記シャッターが閉じ位置にある状態で前記ハウジングにおける前記開口部の縁部が入り込むように前記シャッターに形成されたシャッター側凹部によって構成されている請求項１に記載のフォトンモード光情報記録再生装置。
【請求項３】
前記光路折曲部は、前記閉じ位置にある前記シャッターが入り込むように前記ハウジングにおける開口部の縁部に形成されたハウジング側凹部によって構成されている請求項１に記載のフォトンモード光情報記録再生装置。
【請求項４】
前記ハウジングと前記シャッターとのすき間がテーパ状である請求項１に記載のフォトンモード光情報記録再生装置。
【請求項５】
前記ハウジング側凹部は、幅の広いところと狭いところが繰り返す波形に形成されている請求項３に記載のフォトンモード光情報記録再生装置。
【請求項６】
前記光路折曲部は、前記シャッターに形成された複数のシャッター側凹部と、前記ハウジングにおける前記開口部の縁部に形成された複数のハウジング側凹部とからなり、
前記各シャッター側凹部は、前記シャッターが前記閉じ位置にあるときに、前記ハウジングにおける前記開口部の縁部が入り込み、
前記各ハウジング側凹部は、前記閉じ位置にある前記シャッターが入り込むように構成されている請求項１に記載のフォトンモード光情報記録再生装置。
【請求項７】
前記光路折曲部は、前記シャッターの端部を折り曲げることによって形成されたシャッター側凸部と、このシャッター側凸部に対向するように前記ハウジングに形成されたハウジング側凸部とからなる請求項１に記載のフォトンモード光情報記録再生装置。
【請求項８】
前記光路折曲部は、前記シャッターの両端部を折り曲げることによって形成されたシャッター側凸部と、このシャッター側凸部に対応して前記ハウジングに形成されたハウジング側凹部とからなる請求項１に記載のフォトンモード光情報記録再生装置。
【請求項９】
前記シャッター側凸部は、前記シャッターの端部が内側に折り曲げられることによって形成されており、
前記シャッター側凸部は、前記ハウジングの外側に配置されるとともに、前記ハウジング側凹部に挿入される挿入位置とこの挿入位置よりも外側の離脱位置との間で変位可能に構成されている請求項８に記載のフォトンモード光情報記録再生装置。
【請求項１０】
前記ハウジングの表面は、前記シャッターの表面よりも外側に張り出している請求項９に記載のフォトンモード光情報記録再生装置。
【請求項１１】
前記シャッター側凸部は、前記シャッターの端部が外側に折り曲げられることによって形成されており、
前記シャッター側凸部は、前記ハウジングの内側に配置されるとともに、前記ハウジング側凹部に挿入される挿入位置とこの挿入位置よりも内側の離脱位置との間で変位可能に構成されている請求項８に記載のフォトンモード光情報記録再生装置。
【請求項１２】
前記シャッターは、複数の部材からなり、これらの部材が一部重なり合うように構成されている請求項９から１１の何れか１項に記載のフォトンモード光情報記録再生装置。
【請求項１３】
前記ハウジング側凹部は、前記閉じ位置にある前記シャッターの一端部が入り込むように構成され、
前記ハウジングには、前記閉じ位置にある前記シャッターの他端部が密着するように弾性部材が設けられている請求項３に記載のフォトンモード光情報記録再生装置。
【請求項１４】
前記ハウジング及び前記シャッターは、光吸収性材料からなる請求項１から１３の何れか１項に記載のフォトンモード光情報記録再生装置。
【請求項１５】
前記ハウジングには、前記開口部が複数設けられ、
前記シャッターは、前記各開口部に設けられている請求項１から１３の何れか１項に記載のフォトンモード光情報記録再生装置。
【請求項１６】
前記シャッターは、それぞれ独立して移動できるように構成されている請求項１５に記載のフォトンモード光情報記録再生装置。
【請求項１７】
前記ハウジングと前記シャッターは、その間の隙間が１００μｍ以上で、かつ２００μｍ以下に設定されている請求項１から１３の何れか１項に記載のフォトンモード光情報記録再生装置。
【請求項１８】
前記ディスクカートリッジと前記遮光板とによって形成される空間の光量を検知する検知器と、
前記検知器による検知結果に基づいて、前記シャッターの開閉可否の判定を行う制御部とを備えている請求項１に記載のフォトンモード光情報記録再生装置。
【請求項１９】
前記ハウジング側凹部はテーパ状であり、前記シャッターの端部は略平行である請求項３に記載のフォトンモード光情報記録再生装置。
【請求項２０】
前記シャッターの端部はテーパ状であり、前記ハウジング側凹部は略平行である請求項３に記載のフォトンモード光情報記録再生装置。
【請求項２１】
前記シャッター側凹部はテーパ状であり、前記ハウジングにおける前記開口部の縁部は略平行である請求項２に記載のフォトンモード光情報記録再生装置。
【請求項２２】
前記ハウジングにおける前記開口部の縁部はテーパ状であり、前記シャッター側凹部は略平行である請求項２に記載のフォトンモード光情報記録再生装置。
【発明の詳細な説明】
【技術分野】
【０００１】
本発明は、フォトンモード光情報記録再生に用いられるディスクカートリッジ及びフォトンモード光情報記録再生装置に関するものである。
【背景技術】
【０００２】
光磁気記録や相変化記録に代表される一般のディスク状の記録媒体（以下、メディアと称す）では、ディスクケース内に回転可能な状態で収納されている。ディスクケースは、メディア表面が露出する開口部と、この開口部を開閉するスライド可能なシャッターとを有している。
【０００３】
光ディスク情報記録再生装置は、レーザ光をほぼ回折限界にまで集光して情報の記録再生を行うため、メディア表面への塵埃の付着、堆積が生じると情報の記録再生特性が劣化する。また特に、上記のメディアは可搬性があり、また情報記録再生装置間の互換性が十分にとれることを大きな特徴としているため、情報記録再生装置外において塵埃のケース内への侵入・メディア表面への付着を防止することが大きな課題であった。従って、これまでに、例えば下記の特許文献１や特許文献２に示すような防塵性を高める提案や、メディア記録面の損傷を防止するためのディスクケースおよびディスクカートリッジ構造に関する提案が数多くなされてきた。
【０００４】
一方、次世代の大容量ストレージ装置の候補として、フォトンモード光情報記録再生装置が提案されている。フォトンモード光情報記録再生装置は、これまでの光ディスク装置と異なる記録再生方式であり、その代表として例えば特許文献３に示されるようなホログラムメモリ装置が挙げられる。ホログラムメモリ光情報記録システムとして例えばPsaltisらによって提案されたシフト多重記録方式のホログラムメモリ光学系においては、レーザ光源からの光がビームエキスパンダによってビーム径が拡大され、その後このビームはハーフミラーによって分割される。分割された一方のビームは、空間光変調器を通過して、フーリエ変換レンズによってホログラムメディア上に集光され、信号光となる。他方のビームは、ホログラムメディア上の信号光と同一位置に照射され、参照光となる。ホログラムメディアは２枚のガラス基板間にフォトポリマーなどのホログラム媒質が封止された構成であり、信号光と参照光の干渉縞が記録される。
【０００５】
前記空間光変調器では、２次元に配列された光スイッチ列が設けられ、記録される入力信号に対応してそれぞれの光スイッチが独立にオンオフされる。例えば１０２４セル×１０２４セルの空間光変調器を用いた場合には、１Ｍビットの情報を同時に表示することができる。信号光が空間光変調器を通過する際に、空間光変調器に表示される１Ｍビットの情報は２次元の光ビーム列に変換される。そしてこの光ビーム列は、ホログラムメディア上に干渉縞として記録される。記録された信号を再生する際には、ホログラムメディアに参照光のみを照射し、ホログラムからの回折光をＣＣＤ素子によって受光する。
【０００６】
上述のホログラムメモリ光情報記録システムの特徴は、ホログラム媒質の厚みが約１ｍｍ程度と厚く、干渉縞が厚いグレーティング、いわゆるブラッググレーティングとして記録されるため、角度多重記録が可能となって大容量の光記録システムが実現されることである。なお、参照光の入射角変化に代えて、球面波参照光の照射位置をシフトすることで角度多重記録を実現することも可能である。すなわちディスク状のメディアをわずかに回転させて記録位置をシフトした際に、媒体各部が感じる参照光入射角がわずかに変化することを利用する。ホログラム媒質の厚みが１ｍｍのときには、再生信号強度で規定される波長選択性は半値全幅０．０１４度となり、参照光ＮＡが０．５、ホログラムサイズが２ｍｍφのとき、約２０ミクロン間隔でホログラムを多重記録すると、このとき実現される記録密度は６００Ｇｂｉｔ／ｉｎｃｈ２、１２ｃｍディスク容量に換算して７３０ＧＢが実現される。
【０００７】
特許文献４には、ホログラフィックディスクカートリッジが示されている。この特許文献４には、スライドシャッターが偶発的に開くことを防止するためのロック機構が開示されている。
【特許文献１】特開２０００−４０３３１号公報
【特許文献２】特開２００４−１４１１５号公報
【特許文献３】特開２００４−１３９７１１号公報
【特許文献４】特開２００４−３６２７４３号公報
【発明の開示】
【発明が解決しようとする課題】
【０００８】
光のフォトンモードを用いた光情報記録再生装置に用いるメディアは、記録方式の性格上、いわゆる感光体材料からなる。このため、同メディアは、例えば紫外線や緑色光といった可視光領域以下の波長の光に対して感度を有する。そして、メディアの未記録領域が記録時以前に感光すると記録可能容量の低下など、致命的な特性劣化となるという課題を有していた。これに対し、特許文献１や特許文献２に示される光ディスク（光磁気ディスク、ＣＤ、ＤＶＤ等）のディスクカートリッジにおいては、防塵に有効な構造であっても、完全遮光という概念が無いため、実質的にメディアが光学的に完全遮蔽されることはない。このため、光ディスク用のディスクカートリッジ構造をフォトンモード光情報記録再生装置に用いるメディアに適用しようとすると、例えばシャッターとカートリッジケースとの隙間から侵入する迷光によって上記の特性劣化が生じるという問題点があった。また、特許文献４のディスクカートリッジでは、スライドシャッターがカートリッジシェルに対して摺動すると記載されているが、カートリッジシェルに対してスライドシャッターが重ね合わされているだけなので、スライドシャッターの振動等によって両者間にすき間が生じる虞がある。したがって、このディスクカートリッジでは完全な遮光は困難である。
【０００９】
そこで、本発明は、かかる問題点に鑑みてなされたものであり、その目的は簡単な構成でフォトンモード光情報記録媒体の光学的な特性劣化を生じ難くすることにある。
【課題を解決するための手段】
【００１０】
前記目的を達成するため、本発明は、フォトンモード光情報記録媒体が収納されたディスクカートリッジであって、開口部を有するハウジングと、前記開口部を塞ぐ閉じ位置と前記開口部を開放する開き位置との間を移動可能に設けられるシャッターとを備え、前記ハウジング及び前記シャッターの少なくとも一方は、前記閉じ位置にあるシャッターと前記ハウジングとの間の隙間を少なくとも２段階に折り曲げられた形状にする光路折曲部を有するディスクカートリッジである。
【００１１】
本発明では、ハウジングとシャッターとの間の隙間を通る迷光が光路折曲部によって少なくとも２段階で折り曲げられるので、ハウジングとシャッターとの間に隙間があったとしても、その隙間を通って侵入する迷光がフォトンモード光情報記録媒体に到達し難くすることができる。これにより、フォトンモード光情報記録媒体の光学的な特性劣化を生じ難くすることができる。しかも、ハウジングまたはシャッターに光路折曲部を設ける構成なので、ディスクカートリッジの構成が複雑になるのを抑制することができる。
【００１２】
また、本発明は、フォトンモード光情報記録媒体の記録及び再生の少なくとも一方を行う情報記録再生装置であって、前記ディスクカートリッジを保持する保持部と、前記ディスクカートリッジへの迷光の侵入を抑制する遮光板を有し、前記保持部に取り付けられる構造体とを備えているフォトンモード光情報記録再生装置である。
【００１３】
本発明では、光記録の際に遮光板によってディスクカートリッジへの迷光の侵入を抑制できるので、フォトンモード記録媒体の劣化を抑制することができる。
【発明の効果】
【００１４】
本発明によれば、簡単な構成でフォトンモード光情報記録媒体の光学的な特性劣化を生じ難くすることができる。
【発明を実施するための最良の形態】
【００１５】
以下、本発明を実施するための最良の形態について図面を参照しながら詳細に説明する。
【００１６】
（実施形態１）
本発明の実施形態に係るディスクカートリッジについて、その全体構成を説明するとともに、フォトンモードで情報が記録される光情報記録媒体の完全遮光が可能となった点について説明する。
【００１７】
ホログラム媒体等のフォトンモード光情報記録媒体（以下、単にメディアという）は、一般的に、その取り扱い易さのため、反応抑制剤が含まれている。このためメディアは感光特性に対して非線形性を有しており、低パワーの光照射下では感光しない。具体的には、メディアへの光照射量が１００ナノジュール／ｃｍ2以下の場合に、長時間メディアへの光照射を続けたとしても、光学的な特性劣化を生じない。従って、本発明で課題としているのは上記光照射量以上となる迷光の侵入を防止することであり、上記光照射量以下で照射される状態を完全遮光状態と称している。そして、「完全遮光状態が達成されている」ことを、本明細書では、「完全遮光が実現している」または単に「完全遮光」と表記する。
【００１８】
なお、本明細書中の表記として「ディスク状のメディア」と記載するが、これはメディア形状を円盤形に限定する趣旨ではない。すなわち、回転または移動可能な板状のメディアであればよく、この場合にも本発明の本質に対しては同様の効果が得られる。
【００１９】
以下、本発明の第１の実施形態について説明する。図１（ａ）〜図１（ｃ）は、本発明の第１の実施形態に係るディスクカートリッジの外観図および断面図を示している。
【００２０】
図１（ａ）から図１（ｃ）において、１はハウジングとしてのディスクケース、２はシャッター、３はフォトンモード記録に用いられるディスク状のメディアである。
【００２１】
前記ディスクケース１は、平面視で矩形状に形成されるとともに、所定の厚みを有する形状に構成されている。そして、ディスクケース１内は空洞となっている。
【００２２】
ディスクケース１は、その一側面部１ａから上面部１ｂ及び下面部１ｃの中央部に亘る範囲に形成された開口部４０を有する。この開口部４０は、平面視で矩形状に形成されるものであり、開口部４０の両縁部４０ａ，４０ａは互いに平行となっている。この両縁部４０ａ，４０ａとは、図１（ｃ）における左右の縁部を意味しており、上面部１ｂを構成する互いに向かい合う一対の縁部（又は下面部１ｃを構成する互いに向かい合う一対の縁部）を指している。
【００２３】
前記シャッター２はディスクケース１に取り付けられている。シャッター２は、ディスクケース１の上面部１ｂに対応した第１側部２ａと、ディスクケース１の下面部１ｃに対応した第２側部２ｂと、第１側部２ａ及び第２側部２ｂを接続する接続部２ｃとを備えている。第１側部２ａ及び第２側部２ｂは、それぞれ同じ矩形状に形成されるとともに、ディスクケース１の上面部１ｂ及び下面部１ｃと平行に配置されている。接続部２ｃは、第１側部２ａ及び第２側部２ｂと同じ幅に形成され、ディスクケース１の側面部１ａと平行に配置されている。
【００２４】
シャッター２は、前記開口部４０を塞ぐ閉じ位置（図１（ａ））と、前記開口部４０を開放する開き位置（図１（ｂ）及び図１（ｃ））との間を移動可能に構成されている。そして、シャッター２は、ディスクケース１内に収容されたばね部材（図示省略）等の付勢部材によって開き位置から閉じ位置に向かって付勢されている。
【００２５】
シャッター２は、光路折曲部の一例としてのシャッター側凹部４３を有する。シャッター側凹部４３は、シャッター２の移動方向におけるシャッター２の両端面にそれぞれ設けられている。各シャッター側凹部４３は、断面が矩形状の凹部である。各シャッター側凹部４３は、図２に示すようにシャッター２の第１側部２ａ、接続部２ｃ及び第２側部２ｂに亘って形成されていて、ディスクケース１の上面部１ｂ、側面部１ａ及び下面部１ｃの何れもが入り込むことができるようになっている。シャッター２の一部がディスクケース１の一部を挟み込む構造を有していることにより、シャッター２とディスクケース１との間に光学的隙間が発生しない構造となっている。
【００２６】
図１（ａ）のようにシャッター２が閉じ位置にあるときには、メディア３が完全遮光された状態となり、図１（ｂ）のようにシャッター２が開き位置にあるときには、メディア３の一部が外部に露出した状態となる。シャッター２が開き位置にあるときには、メディア３の記録再生領域およびクランプ用の穴３ａに例えば光記録再生装置のクランパーがアクセス可能となる。なお、図１（ｃ）は、図１（ｂ）の断面Ｉにおけるディスクカートリッジの断面図である。
【００２７】
図１（ａ）において、メディア３は、ディスクケース１内に収納されており、閉じ位置にあるシャッター２とディスクケース１とにより、メディア３は完全遮光されている。例えば図３に概念的に示すように、シャッター２が閉じ位置にあるときには、ディスクケース１における開口部４０の両側の縁部４０ａがそれぞれシャッター側凹部４３に挿入された状態となっている。このため、ディスクケース１とシャッター２との間の隙間の内部において、迷光の進路は２段階に折り曲げられている。具体的には、図３に矢印Ａで示すように、ディスクケース１の外部からディスクケース１内へと向かう迷光は、ディスケース１の外側をディスクケース１に沿ってシャッター側凹部４３の奥に向かって進み、その後ディスクケース１内へ向かう方向に折り曲げられる（第１段階）。そして、この迷光は、図３に矢印Ｂで示すように、シャッター側凹部４３内でディスクケース１内側に向かう方向からディスクケース１に沿う方向に折り曲げられる（第２段階）。この２段階で折り曲げられた迷光がディスクケース１内に到達することとなるが、その光量は僅かとなっているため、メディア３は完全遮光された状態となる。なお、図３は説明しやすいように便宜的に描いているため、図１（ｃ）とは必ずしも寸法的に一致していない。
【００２８】
これにより、図１（ｂ）に示すようなシャッター２の開いた状態にならない限り、メディア３を外部光から完全遮光することが可能となる。なお、図１（ｂ）に示すシャッター２の開いた状態は、例えば光情報記録再生装置内で実現される。このとき例えば、上記光情報記録再生装置にアーム等を有するシャッター開閉機構を設けることにより、外力を加えてシャッター２を開閉することができる。
【００２９】
前記ディスクケース１は、例えば上ハウジングと下ハウジングの２点の部品により構成され、上ハウジングと下ハウジングがその接続部全周で嵌め込まれた構成又は貼り合わされた構成等にすることよりメディア３を収納した状態で封止することができる。またディスクケース１のいずれかの側面を着脱可能な部品で構成することにより、メディア３をディスクケース１内に容易に収納することができる。この場合には前記部品がその全周でディスクケース１に嵌め込まれる構成又は貼り合わされる構成等にすることにより封止できる。
【００３０】
なお、メディア３がフォトンモード記録用の材料を含んでいるため、メディア３を収納する作業は、メディア３が実質的に感光されない波長帯の光照射下もしくは完全遮光が可能な暗室内で行う必要がある。このようにしてディスクカートリッジを作製する場合には、上述のはめ込み部、または貼り合わせ部から迷光が侵入するおそれはないが、隙間からの迷光を確実に排除するために、上記はめ込み部または貼り合わせ部を例えば遮光可能な反射材料もしくは吸収材料からなるシールテープなどで目張りすることも有効である。
【００３１】
本発明のポイントは、ディスクケース１とシャッター２との間で完全遮光を実現しているところにある。上述したように、光のフォトンモードを用いた光情報記録に用いるメディア３は、記録方式の性格上、いわゆる感光体であり、可視光領域以下の波長の光に対して感度を有する。このため、メディア３の未記録領域が感光すると記録可能容量の低下など、致命的な特性劣化となるという課題を有している。しかしながら、上述したように、実際には、ホログラム媒体等のフォトンモード光情報記録メディアは、その取り扱い易さのため、反応抑制剤が含まれているので感光特性に非線形性を有しており、低パワー光照射下では感光しない。具体的には、メディア３への光照射量が、１００ナノジュール／ｃｍ2以下の場合に長時間光照射を続けたとしても、光学的な特性劣化を生じることはない。従って、本発明は前記光照射量以上となる迷光の侵入によるメディアの特性劣化を防止することを目的としている。本実施形態で示すディスクカートリッジでは、例えば直射日光下であっても、シャッター２を閉じた状態であればディスクケース１内部に侵入する迷光を大幅に減衰させ、メディア３に照射される光量を数１０ナノジュール／ｃｍ2以下にすることができる。これにより、少なくとも光情報記録再生装置外部でメディア３が光学的要因により特性劣化を生じる可能性をなくすことができる。
【００３２】
本実施の形態で示されたようなメディア３が露出された状態は、原則としてフォトンモード光情報記録再生装置内でのみ実現されることが望ましい。従って、メディア３が上記光情報記録再生装置外にあるときには、完全遮光を実現するシャッター２が容易に開けられないことが必要である。これを達成するために、ディスクケース内部にロック機構を設けることも可能である。図４に示すように、ロック機構４６は、シャッター２が光情報記録再生装置等の外部で開けられるのを防止するためのものであり、ディスクケース１の内部に設けられている。ロック機構４６は、ストッパー４７と、このストッパー４７を変位させるための変位機構とを有している。この変位機構は、基端部がディスクケース１に固定されたばね部材４９と、このばね部材４９の先端部に固定された磁石５０とを備えている。ストッパー４７は、一端部が磁石５０に固定されることにより、ばね部材４９の伸縮に応じてロック位置と、解除位置との間を変位可能となっている。ストッパー４７がロック位置にあるときには、シャッター２に設けられた突部５３がストッパー４７に当接し、これによりシャッター２はロックされる。一方、ストッパー４７が解除位置にあるときには、ストッパー４７がシャッター２の突部５３から外れ、シャッター２のロックが解除される。磁石５０は、例えば光情報記録再生装置内に配設されている外部磁石５２に近接するようになっている。そして、この外部磁石５２とディスクケース１内の磁石５０とが同じ磁極同士が近接するように構成することにより、ディスクカートリッジが光情報記録再生装置内にセットされるとばね部材４９を押し縮めるようになっている。これにより、ロック位置にあるストッパー４７が解除位置に移動してシャッター２のロックを解除できる。なお、図４では、ばね部材４９が伸びた状態のときにロック位置となり、ばね部材４９が縮んだ状態のときに解除位置となる例を示しているが、ばね部材４９が縮んでロック位置となり、ばね部材４９が伸びて解除位置になるように構成してもよい。また、例えば極めて細い針状のピンを挿入する窓（完全遮光を妨げないようにディスクケース内側に弁を付けるなどの対応が施されているもの）等を形成しておくことでロック機構４６へのアクセス（ロックを解除するための操作）を可能とする構成にしてもよい。
【００３３】
以上説明したように、本実施形態１では、ディスクケース１とシャッター２との隙間を通る迷光が光路折曲部によって少なくとも２段階で折り曲げられるので、ディスクケース１とシャッター２との間に隙間があったとしても、その隙間を通って侵入する迷光がメディア３に到達し難くすることができる。これにより、メディア３の光学的な特性劣化を生じ難くすることができる。しかも、ディスクケース１またはシャッター２に光路折曲部を設ける構成なので、ディスクカートリッジの構成が複雑になるのを抑制することができる。
【００３４】
また本実施形態１では、前記光路折曲部は、前記シャッターが閉じ位置にある状態で前記ハウジングにおける前記開口部の縁部が入り込むように前記シャッターに形成されたシャッター側凹部によって構成されている。
【００３５】
したがって、シャッターが閉じ位置にあるときには、ハウジングにおける開口部の縁部がシャッター側凹部の内側に入り込んだ状態となる。このため、迷光がハウジングとシャッターとの間の隙間を通るときには、少なくとも２段階で曲げられることになるので、迷光がフォトンモード光情報記録媒体に到達し難くすることができる。また、シャッターに凹部を設けるだけなので、簡単な構造で迷光の侵入を抑制することができる。
【００３６】
（実施形態２）
図５（ａ）及び図５（ｂ）は本発明の第２実施形態に係るディスクカートリッジを示している。図５（ａ）、図５（ｂ）において、４はハウジングとしてのディスクケース、５はディスクケース４に移動可能に取り付けられたシャッター、６はフォトンモード記録に用いるディスク状のメディアである。図５（ａ）はシャッター５が閉じてメディア６が完全遮光された状態の断面図であり、図５（ｂ）は、シャッター５が開いてメディア６の一部が外部に露出した状態の断面図である。
【００３７】
シャッター５は、ディスクケース４の上面部４ａに対応した第１側部５ａと、ディスクケース４の下面部４ｂに対応した第２側部５ｂと、第１側部５ａ及び第２側部５ｂを接続する接続部（図示省略）とを備えている。本実施形態２では、第１側部５ａ、第２側部５ｂ及び接続部の何れもが両端部に凹部の形成されていない平板状に形成されている。
【００３８】
実施形態１と同様にディスクケース４は、平面視で矩形状に形成される開口部５６を有する。このディスクケース４における開口部５６の縁部には、光路折曲部の一例としてのハウジング側凹部５８が設けられている。ハウジング側凹部５８は、シャッター５の移動方向における開口部５６の両側の縁部にそれぞれ形成されている。各ハウジング側凹部５８は、ディスクケース４の断面が矩形状の凹部である。このためハウジング側凹部５８の内面と、これに挿入されたシャッター５とはほぼ平行になっている。各ハウジング側凹部５８は、上面部４ａ、側面部及び下面部４ｂに亘って形成されている。
【００３９】
シャッター５が閉じ位置にあるときには、シャッター５の両端部がそれぞれハウジング側凹部５８に挿入された状態となっている。言い換えると、ディスクケース４の一部が、シャッター５の一部を挟む構造となっている。このため、ディスクケース１とシャッター２との間の隙間を通る迷光の進路は、２段階に折り曲げられている。具体的には、図５（ａ）に矢印Ａで示すように、ディスクケース１の外部からディスクケース１内へと向かう迷光は、シャッター５の外側をハウジング側凹部５８の奥に向かって進み、その後ディスクケース１内へ向かう方向に折り曲げられる（第１段階）。そして、この迷光は、図５（ａ）に矢印Ｂで示すように、ハウジング側凹部５８内でディスクケース１内側に向かう方向からシャッター５に沿う方向に折り曲げられる（第２段階）。迷光はメディア６に到達するまでに２段階に折り曲げられるため、メディア６に到達する光量が大幅に低減され、これによりメディア６は完全遮光された状態となる。そして、シャッター５が開き動作すると、シャッター５の後端部（図５（ａ）の左端部）が図の左側のハウジング側凹部５８の奥に向かう一方、シャッター５の前端部（図５（ａ）の右端部）が図の右側のハウジング側凹部５８から抜け出す。
【００４０】
我々の行った検討においては、ディスクケース４とシャッター５との隙間の幅Ｓを２００μｍ以下に設定することにより、効果的に完全遮光することが可能となる。そして、前記隙間の幅Ｓを１００μｍ以上に設定することにより、シャッター５のスムーズな開閉動作を確保することができるようになる。
【００４１】
隙間の幅Ｓを安定させるためには、例えば図６（ａ）（ｂ）に示すように、ディスクケース４とシャッター５の間にスペーサ６０を配置することが可能である。このスペーサ６０はディスクケース４又はシャッター５に固定すればよい。スペーサ６０は、シャッター５の移動方向に延びるように配設された細長形状に構成することができる。そして、スペーサ６０は、ディスクケース４の上面部４ａ、下面部４ｂ及び側面部４ｃに位置するハウジング側凹部５８にそれぞれ配設されている。スペーサ６０はシャッター５のガイドとして機能する。これにより遮光効果を確実なものにするとともにスムーズなシャッター５の開閉を実現できる。本例に示すディスクカートリッジ構造をとることにより、直射日光下であっても、シャッター５を閉じた状態であればディスクケース４内部に侵入する迷光を大幅に減衰させ、メディア６に照射される光量を１０ナノジュール／ｃｍ2以下にすることができる。これにより、少なくとも光情報記録再生装置外部でメディア６が光学的要因により特性劣化を生じる可能性をなくすことができる。
【００４２】
また、図７に示すように、ハウジング側凹部５８には、スペーサ６０を保持するためのガイド溝６１を設けるようにしてもよい。このガイド溝６１は、ハウジング側凹部５８の内面に形成されるものであり、シャッター５の開閉方向に延びる形状のものである。このガイド溝６１の中にスペーサ６０が配設されて、スペーサ６０が保持される。
【００４３】
以上説明したように、本実施形態２では、前記光路折曲部は、前記閉じ位置にある前記シャッターが入り込むように前記ハウジングにおける開口部の縁部に形成されたハウジング側凹部によって構成されている。
【００４４】
したがって、シャッターが閉じ位置にあるときには、シャッターがハウジング側凹部の内側に入り込んだ状態となる。このため、迷光がハウジングとシャッターとの間の隙間を通るときには、少なくとも２段階で曲げられることになるので、迷光がフォトンモード光情報記録媒体に到達し難くすることができる。また、ハウジングに凹部を設けるだけなので、簡単な構造で迷光の侵入を抑制することができる。
【００４５】
また本実施形態２では、前記ハウジングと前記シャッターは、その間の隙間が１００μｍ以上で、かつ２００μｍ以下に設定されている。
【００４６】
この態様では、隙間を１００μｍ以上とすることでシャッターのスムーズな開閉動作を確保でき、しかも隙間を２００μｍ以下とすることで迷光の侵入を効果的に抑制することができる。
【００４７】
なお、本例では、両側のハウジング側凹部５８がそれぞれ１つの凹部として構成され、シャッター５が１枚の板材によって構成されている例について述べたが、例えば図８に示すように、ディスクケース４とシャッター５とが互いに複数個所で挟みあうように構成し、ディスクケース４とシャッター５との重なり部分を複数設けるようにしてもよい。この構成では、光路折曲部が、シャッター５に設けられるシャッター側凹部６３と、ディスクケース４に設けられるハウジング側凹部５８とによって構成される。図例では、シャッター側凹部６３がシャッター５の厚み方向に２つ設けられ、ハウジング側凹部５８がシャッター５の厚み方向に３つ設けられた構成となっている。そして、シャッター５が閉じ位置にあるときには、シャッター５の両端部がそれぞれハウジング側凹部５８内に入り込むとともに、ディスクケース４における開口部の縁部がシャッター側凹部６３内に入り込んでいる。これにより、ディスクケース４とシャッター５との間の隙間を通る迷光は、１０段階に折り曲げられる。
【００４８】
この態様では、前記光路折曲部は、前記シャッターに形成された複数のシャッター側凹部と、前記ハウジングにおける前記開口部の縁部に形成された複数のハウジング側凹部とからなり、前記各シャッター側凹部は、前記シャッターが前記閉じ位置にあるときに、前記ハウジングにおける前記開口部の縁部が入り込み、前記各ハウジング側凹部は、前記閉じ位置にある前記シャッターが入り込むように構成されている。
【００４９】
したがって、ハウジングとシャッターとの間の隙間を通る迷光が折り曲げられる回数を増大させることができる。これにより、迷光の侵入をより効果的に低減することができる。
【００５０】
その他の構成、作用及び効果は実施形態１と同様である。
【００５１】
（実施形態３）
図９（ａ）及び図９（ｂ）は本発明の第３実施形態に係るディスクカートリッジを示している。本実施形態３はハウジング側凹部をテーパ状構造としたものである。
【００５２】
図９（ａ）および図９（ｂ）において、７はディスクケース、８はディスクケース７に移動可能に取り付けられたシャッター、９はフォトンモード記録に用いるディスク状のメディアである。図９（ａ）はシャッター８が閉じてメディア９が完全遮光された状態の断面図であり、図９（ｂ）は、シャッター８が開きメディア９の一部が外部に露出した状態の断面図である。
【００５３】
本実施形態３では、光路折曲部は、開口部６５の両縁部に形成されたハウジング側凹部によって構成されている。図の右側に示されるハウジング側凹部（以下、「遮蔽側溝」と称す）６６は、シャッター８が閉じられたときにシャッター８の前端部８ａが挿入される溝となっている。この遮蔽側溝６６は、奥に向かうほど幅が狭くなるテーパ状に形成された凹部である。ここでいう幅とはシャッター厚み方向の幅を意味している。そして、この遮蔽側溝６６内において、シャッター８とディスクケース７とが接触する。
【００５４】
一方、図の左側に示されるハウジング側凹部（以下、「収納側溝６７」と称す）は、シャッター８が閉じ位置にあるときにも開き位置にあるときにもシャッター８の後端部８ｂが入り込んだ状態にある。収納側溝６７は、奥に向かうほど幅の狭くなるテーパ状に形成された挿通部６７ａと、この挿通部６７ａの奥に連通される収納凹部６７ｂとからなる。ここでいう幅とはシャッター厚み方向の幅を意味している。この収納凹部６７ｂは、挿通部６７ａにおける最奥部から次第に幅が広くなる形状となっている。この挿通部６７ａの最奥部においてディスクケース７とシャッター８とが近接している。
【００５５】
本実施形態３では、ディスクケース７の一部がシャッター８の一部を挟む溝構造を有しており、しかもハウジング側凹部６６，６７がシャッター８の移動方向に対してテーパ状に構成されている。遮蔽側溝６６は、ディスクケース７の開口部６５から離れるに従って幅が狭くなる構成となっているが、遮蔽側溝６６は、シャッター８の厚みよりも幅が小さくなる部分を有していることが望ましい。本構成により、シャッター８を閉じたときにはシャッター８とディスクケース７とが接触し、遮蔽側溝６６からの迷光の侵入を効果的に防止することができる。
【００５６】
一方、シャッター８の開閉をスムーズにするためには、収納側溝６７ではシャッター８とディスクケース７とが接触するのは望ましくない。従って、シャッター８とディスクケース７との間に隙間を残すのが望ましい。この隙間の最小幅、即ち挿通部６７ａの最奥部における隙間幅が１００μｍ以上であれば、シャッター８をスムーズに移動させることができる。そして、シャッター８の移動に伴うディスクケース７との衝突を回避して塵埃の発生を防止することができる。一方、収納側溝６７からの迷光の侵入可能性がわずかながら残るため、ディスクケース７とシャッター８との間の隙間の最小幅が例えば２００μｍ以下となるようにすることで、収納側溝６７からディスクケース７内に進入する迷光を低減することができる。
【００５７】
一般に、テーパ状構造において、間隔の広い方から狭い方に向かって侵入した光は、テーパ状の壁面で多重反射を繰り返して伝搬していく。この時、壁面に対する入射角度は壁面間隔の狭い方に進むにつれて大きくなり、壁面反射回数も大きくなる。このため、侵入した光は反射毎に散乱又は吸収されて減衰し、テーパ状構造の奥（間隔の狭い側）に到達する光は殆どなくなるという効果がある。このような理由により、本例で示すようにハウジング側凹部６６，６７をテーパ状に構成することが、メディア９の完全遮光に有効であることがわかる。そして、このような構造を採用することにより、直射日光下であっても、シャッター８を閉じた状態であればディスクケース７内部に侵入する迷光を大幅に減衰させることができ、メディア９に照射される光量を１０ナノジュール／ｃｍ２以下に抑えることができる。これにより、少なくとも光情報記録再生装置外部でメディア９が光学的要因により特性劣化を生じる可能性をなくすことができる。そして、シャッター８およびディスクケース７が迷光を吸収するような材料によって構成されるのが望ましい。この場合には、ディスクケース７およびシャッター８での迷光の反射毎の減衰をより大きくすることができるため、遮光効果をさらに大きくすることができる。ここで、迷光を吸収するような材料としては、例えばポリカーボネート、アクリル、塩化ビニル等のいわゆるプラスティック材料にカーボン等を含有させることにより、可視光領域において不透明又は光吸収を可能にしたものが挙げられる。
【００５８】
以上説明したように、本実施形態では、前記ハウジング側凹部は、次第に幅が狭くなるテーパ状に形成されている。
【００５９】
したがって、迷光の進む方向に沿って隙間が狭くなるので、より迷光が侵入し難くすることができる。これにより、ハウジング側凹部が平行に形成されている場合に比べ、ハウジング側凹部の深さを抑えることができる。したがってハウジングが大型化するのを防止することができる。またハウジングとシャッターとの間の隙間幅の管理を緩めることができ、これにより、ディスクカートリッジをより製造し易くすることができる。
【００６０】
また、前記ハウジング及び前記シャッターは、光吸収性材料からなるのが好ましい。この態様では、迷光がハウジング及びシャッターを透過するのを抑制することができるので、フォトンモード光情報記録媒体の光学的な特性劣化をより生じ難くすることができる。
【００６１】
なお、図９（ａ）（ｂ）においては、収納凹部６７ｂの幅が奥側ほど広くなるように図示しているが、これに限られるものではない。要は、シャッター８の開閉移動を妨げない間隔が確保されていれば同様の効果を得ることができる。
【００６２】
また本発明は、遮蔽側溝６６と収納側溝６７の双方がテーパ状に構成される場合に限られるものではない。例えば一方を平行にしてもよい。ただし、一方の側溝が平行に形成される場合には、その側溝をより深く形成することが必要となるので、ディスクカートリッジを小型化するにはハウジング側凹部６６，６７をテーパ状に構成するのが好ましい。
【００６３】
なお、図１０に示すように、シャッター８の両端部８ａ，８ｂをテーパ状に形成するとともに、遮蔽側溝６６及び挿通部６７ａを平行に形成してもよい。この場合でも、ディスクケース７とシャッター８との間の隙間がテーパ状に形成される。
【００６４】
また本実施形態３では、ハウジング側凹部６６，６７がテーパ状に形成される場合について示しているが、実施形態１において、シャッター側凹部４３をテーパ状に形成してもよい。
【００６５】
その他の構成、作用及び効果は実施形態２と同様である。
【００６６】
（実施形態４）
図１１（ａ）及び図１１（ｂ）は本発明の第４実施形態に係るディスクカートリッジを示している。本実施形態４はハウジング側凹部を波形構造としたものである。この構造でも上記のテーパ状溝構造と同様の効果を得ることができる。
【００６７】
図１１（ａ）及び図１１（ｂ）はシャッターを挟む部分に波形構造を有するディスクケースにより、メディアを遮光する場合の一例である。図１１（ａ）および図１１（ｂ）において、１０はディスクケース、１１はディスクケース１０に移動可能に取り付けられたシャッター、１２はフォトンモード記録に用いるディスク状のメディアである。図１１（ａ）はシャッター１１が閉じてメディア１２が完全遮光された状態の断面図であり、図１１（ｂ）は、シャッター１１が開いてメディア１２の一部が外部に露出した状態の断面図である。
【００６８】
本実施形態４では、開口部６５の両縁部に形成されたハウジング側凹部（遮蔽側溝６６及び収納側溝６７）の側壁がいずれもシャッター１１の移動方向に対して波形状に構成されている。そして、このハウジング側凹部６６，６７にディスクケース１０の一部が入り込み、このシャッター１１の一部がディスクケース１０によって挟まれるようになっている。
【００６９】
ここで、シャッター１１の開閉移動をスムーズにするためには、シャッター１１の移動範囲内においてシャッター１１とハウジング側凹部６６，６７の側壁とが接触するのは望ましくない。従って、シャッター１１とディスクケース１０との間に隙間を残すのが望ましい。そして、この隙間の最小幅を１００μｍ以上とすれば、シャッター１１をスムーズに移動させることができる。そして、シャッター１１の移動に伴うディスクケース１０との衝突を回避して塵埃の発生を防止することができる。一方、ハウジング側凹部６６，６７からの迷光の侵入可能性がわずかながら残るため、ディスクケース１０とシャッター１１との間の隙間の最小幅が例えば２００μｍ以下となるようにすることで、ハウジング側凹部６６，６７からディスクケース１０内に進入する迷光を低減することができる。これは一つの波形構造によってシャッター１１との間に形成される空間形状が、実質的にほぼテーパ構造になっているためである。
【００７０】
本例に示すディスクカートリッジ構造を採用することにより、直射日光下であっても、シャッター１１を閉じた状態であればディスクケース１０内部に侵入する迷光を大幅に減衰させることができ、メディア１２に照射される光量を１０ナノジュール／ｃｍ２以下に抑えることができる。これにより、少なくとも光情報記録再生装置外部でメディア１２が光学的要因により特性劣化を生じる可能性をなくすことができる。
【００７１】
以上説明したように本実施形態４では、前記ハウジング側凹部は、幅の広いところと狭いところが繰り返す波形に形成されている。
【００７２】
したがって、ハウジング側凹部の幅の狭いところでは迷光が通りにくいため、この態様によれば、ハウジング側凹部の幅の狭いところが複数個所となって迷光がより侵入し難くすることができる。このため、ハウジングとシャッターとの間の隙間の管理を緩めることができ、これにより、ディスクカートリッジをより製造し易くすることができる。
【００７３】
なお、上述したテーパ状溝構造は、テーパ角度とテーパ長さを選定することにより、迷光の減衰率を設定することができたが、本例の波形溝構造においても、波周期（又はシャッター１１の移動方向と平行な方向の波長）や振幅（シャッター１１との間隔の変化）を適宜選定することにより、迷光の減衰率を設定することができる。そして、シャッター１１およびディスクケース１０が迷光を吸収するような材料によって構成される場合には、ディスクケース１０およびシャッター１１での迷光の反射毎の減衰をより大きくすることができるため、遮光効果をさらに大きくすることができる。
【００７４】
また、本実施形態４では、ハウジング側凹部６６，６７が波形形状に形成される場合について示したが、実施形態１において、シャッター側凹部４３を波形状に形成してもよい。
【００７５】
その他の作用及び効果は実施形態３と同様である。
【００７６】
（実施形態５）
図１２は本発明の第５実施形態に係るディスクカートリッジを示している。本実施形態では、シャッターおよびディスクケースに、遮光のための壁構造が設けられている。
【００７７】
図１２において、１３はディスクケース、１４ａ，１４ｂはディスクケース１３に移動可能に取り付けられるシャッター、１５はフォトンモード記録に用いるディスク状のメディアである。ここで、図１２は、シャッター１４ａ，１４ｂが閉じてメディア１５が完全遮光された状態を示す断面図である。
【００７８】
シャッターは、第１シャッター１４ａと第２シャッター１４ｂとからなる。これら第１シャッター１４ａ及び第２シャッター１４ｂは別体ものである。第１シャッター１４ａはディスクケース１３の上面部１３ａとメディア１５と間に配置され、第２シャッター１４ｂはディスクケース１３の下面部１３ｂとメディア１５との間に配置されている。
【００７９】
ディスクケース１３の開口部６９は、実施形態１と異なり側面部には形成されておらず、上面部１３ａと下面部１３ｂにそれぞれ独立して形成されている。すなわち、ディスクケース１３には、上面部１３ａに上側開口６９が形成され、下面部１３ｂに下側開口６９が形成されている。そして、第１シャッター１４ａと第２シャッター１４ｂとは反対方向に移動可能となっている。第１シャッター１４ａ及び第２シャッター１４ｂは、それぞれ平板材を折り曲げた構成のものである。
【００８０】
なお、ディスクケース１３の開口部６９は実施形態１と同様に側面部にも形成されていてもよい。この場合には、第１シャッター１４ａの一部が側面部に形成された開口部６９に被さるとともに、第２シャッター１４ｂの一部が第１シャッター１４ａに重ねられるようにすればよい。
【００８１】
本実施形態５では、光路折曲部は、シャッター側凸部Ｌ１とハウジング側凸部Ｌ２とからなる。シャッター側凸部Ｌ１は、シャッター１４ａ，１４ｂの移動方向における一端部（後端部）を折り曲げることによって形成されたものである。そして、シャッター１４ａ，１４ｂは、このシャッター側凸部Ｌ１がシャッターを閉じる方向の端部に位置するよう配設されている。シャッター側凸部Ｌ１は、メディア１５に平行に配置されるシャッター本体部１４ｃからメディア１５とは反対方向に折れ曲がった姿勢となっている。
【００８２】
前記ハウジング側凸部Ｌ２は、ディスクケース１３の上面部１３ａ及び下面部１３ｂにそれぞれ設けられるものであり、これら各ハウジング側凸部Ｌ２は、シャッター１４ａ，１４ｂを閉じる方向にシャッター側凸部Ｌ１と対向する位置に形成されている。
【００８３】
ディスクケース１３内の空洞部は、シャッター側凸部Ｌ１がシャッター開閉方向に移動できる大きさに構成されている。そして、ディスクケース１３には、開口部６９の縁部をメディア１５に向かって突出させることで前記ハウジング側凸部Ｌ２が形成されている。これにより、開口部６９の近傍がシャッター側凸部Ｌ１の高さよりも充分に狭くなるとともに、シャッター側凸部Ｌ１のシャッター閉じ方向にハウジング側凸部Ｌ２が存在する。これにより、シャッター側凸部Ｌ１は常時ディスクケース１３の内部に位置する。
【００８４】
シャッター１４ａ，１４ｂが閉じた状態においては、シャッター側凸部Ｌ１とハウジング側凸部Ｌ２とが近接または接触することにより、空間的な隙間がなくなり、遮光効果を得ることができる。また、シャッター側凸部Ｌ１とハウジング側凸部Ｌ２との間に隙間が形成される場合であっても、この隙間を通る迷光が２段階に折り曲げられるため、完全遮光を実現できる。具体的には、例えば、この隙間を通る迷光は、図１３中の矢印Ａで示すように、第１シャッター１４ａのシャッター本体部１４ｃとハウジング側凸部Ｌ２との間を通った後、シャッター側凸部Ｌ１に沿って折り曲げられる（第１段階）。そして、この迷光は、図１３中の矢印Ｂで示すように、上方に向かって進んだ後、シャッター側凸部Ｌ１の先端部で折り曲げられる（第２段階）。迷光がメディア１５に到達するまでに２段階に折り曲げられるため、メディア１５に到達する光量は大幅に低減され、これによりメディア６は完全遮光された状態となる。
【００８５】
シャッター１４ａ，１４ｂの開閉動作を考慮すると、シャッター側凸部Ｌ１は、図１２に示すように、シャッター１４ａ，１４ｂの後端部のみにしか形成できない。そこで、シャッター１４ａ，１４ｂの前端部側においては、ディスクケース１３に光路折曲部としてのハウジング側凹部Ｓ１を形成すると効果的である。シャッター１４ａ，１４ｂが閉じ位置にあるときには、シャッター１４ａ，１４ｂの前端部がこのハウジング側凹部Ｓ１に挿入される。これにより、ディスクケース１３とシャッター１４との挟み込み構造を形成できる。これによりメディア１５の完全遮光が実現できる。この場合、シャッター１４ａ，１４ｂとディスクケース１３との隙間幅は、例えば１００〜２００μｍ程度に設定するのが望ましい。
【００８６】
以上説明したように、本実施形態５では、前記光路折曲部は、前記シャッターの端部を折り曲げることによって形成されたシャッター側凸部と、このシャッター側凸部に対向するように前記ハウジングに形成されたハウジング側凸部とからなる。
【００８７】
この態様では、迷光がハウジング側凸部及びシャッター側凸部に沿って２段階に折り曲げられるので、迷光がフォトンモード光情報記録媒体に到達し難くすることができる。しかも、シャッター及びハウジングの構成が複雑化するのを抑制することができる。
【００８８】
なお、本実施形態５では、シャッターがそれぞれ別体に構成される第１シャッター１４ａと第２シャッター１４ｂとからなる構成としたが、これに限られるものではない。例えばシャッターを実施形態１と同様に一体ものに構成してもよい。この場合には、本実施形態５と異なり、シャッターが反対方向に移動できないので、上下のシャッター側凸部Ｌ１は、それぞれ同じ側（例えば図１２の左側）に設けられることとなる。そして、この場合、上下のハウジング側凹部Ｌ２も開口部６９に対してそれぞれ同じ側に設けられることとなる。したがって、この場合には、シャッター側凸部Ｌ１の大きさがディスクカートリッジの厚みに大きく影響し、ディスクカートリッジ全体としての厚みが厚くなるということが懸念される。このため、本実施形態５のように、シャッター１４ａ，１４ｂをディスクケース１３の上下で独立して反対の方向に開く構成にするのが好ましい。これにより、ディスクケース１３の厚み増大を抑制することができる。
【００８９】
その他の作用及び効果は実施形態１と同様である。
【００９０】
（実施形態６）
図１４（ａ）及び図１４（ｂ）は本発明の第６実施形態に係るディスクカートリッジを示している。
【００９１】
図１４（ａ）及び図１４（ｂ）において、１６はディスクケース、１７はディスクケース１６に移動可能に取り付けられたシャッター、１８はフォトンモード記録に用いるディスク状のメディア、１９は弾性部材の一例としてのスカート部である。図１４（ａ）はシャッター１７が閉じてメディア１８が完全遮光された状態の断面図であり、図１４（ｂ）は、シャッター１７が開きメディア１８の一部が外部に露出した状態の断面図である。
【００９２】
本実施形態６では、光路折曲部はディスクケース１６に設けられたハウジング側凹部７０によって構成されている。このハウジング側凹部７０には、閉じ位置にあるシャッター１７の後端部が挿入されており、シャッター１７の開き動作に応じてその後端部がハウジング側凹部７０の奥に入り込んでいくようになっている。
【００９３】
前記スカート部１９は、ゴム等の弾性を有する材料からなる。このスカート部１９は、ディスクケース１６の上面部における開口部７１近傍の表面に固定されている。そして、図１４（ａ）に示すように、シャッター１７が閉じ位置にあるときには、弾性体からなるスカート部１９とシャッター１７とが隙間なく接することが可能となっている。すなわち、スカート部１９は、シャッター１７を閉じる力によってシャッター１７の移動方向に倒れ込む形となる。そして、シャッター１７は閉じ方向に付勢されているので、シャッター１７が閉じている間は、シャッター１７の付勢力がスカート部１９の有する弾性力と反発し合っている。従って、シャッター１７が閉じ位置に保持されるとともに、シャッター１７とスカート部１９との密着が維持され、完全遮光を維持することができる。そして、スカート部１９はシャッター１７前端部側の開口部７１近傍に配置されているので、図１４（ｂ）に示すように、シャッター１７が開いた状態においては、シャッター１７はスカート部１９から離れる。これにより、スカート部１９はその弾性によって元の安定形状に戻る。
【００９４】
以上説明したように、本実施形態６では、前記ハウジング側凹部は、前記閉じ位置にある前記シャッターの一端部が入り込むように構成され、前記ハウジングには、前記閉じ位置にある前記シャッターの他端部が密着するように弾性部材が設けられている。
【００９５】
この態様では、シャッターの一端部側において、シャッターとハウジング側凹部との間の隙間を通る迷光の侵入を抑制できる一方、シャッターの他端部側においてシャッターが弾性部材と密着することにより迷光の侵入を抑制することができる。
【００９６】
なお、図１５（ａ）及び図１５（ｂ）に示すように、弾性を有する構造体の一例として、弾性部材は、弾性材料からなるストッパー２０としてもよい。このストッパー２０は、スカート部１９と同様に、ディスクケース１６の表面に固定配置されている。そして、ストッパー２０は、シャッター１７が閉じたときにその前端部がストッパー２０の側面に食い込む位置に配置されている。したがって、シャッター１７が閉じ位置にあるときには、ストッパー２０の側面にシャッター１７が食い込んだ状態になっており、これによりシャッター１７とストッパー２０とが密着している。このとき、シャッター１７を閉じる方向に作用している付勢力と、ストッパー２０が有する弾性力とが反発し合っている。従って、シャッター１７とストッパー２０との密着状態が維持され、完全遮光を維持することができる。
【００９７】
その他の作用及び効果は実施形態１と同様である。
【００９８】
（実施形態７）
図１６（ａ）及び図１６（ｂ）は本発明の第７実施形態に係るディスクカートリッジを示している。本実施形態７は、シャッターの一部に遮光のための壁構造を設け、この壁構造とかみ合う溝をディスクケースに形成することにより、メディアを遮光する場合の一例である。
【００９９】
図１６（ａ）および図１６（ｂ）において、２１はディスクケース、２２はディスクケース２１に移動可能に取り付けられたシャッター、２３はフォトンモード記録に用いるディスク状のメディアである。図１６（ａ）はシャッター２２が閉じてメディア２３が完全遮光された状態の断面図であり、図１６（ｂ）は、シャッター２２が開いてメディア２３の一部が外部に露出した状態の断面図である。
【０１００】
本実施形態７では、光路折曲部は、シャッター側凸部７３とハウジング側凹部７４とからなる。シャッター側凸部７３は、シャッター２２の前端部と後端部にそれぞれ設けられている。各シャッター側凸部７３は、シャッター２２の移動方向における端部をディスクケース２１側（内側）に折り曲げることによって形成されたものである。
【０１０１】
前記ハウジング側凹部７４は、ディスクケース２１の上面部２１ａ及び下面部２１ｂの外面にそれぞれ設けられている。そして、上面部２１ａ及び下面部２１ｂにおいて、それぞれハウジング側凹部７４は、開口部７５を挟んでシャッター２２の移動方向における両側に設けられている。
【０１０２】
各ハウジング側凹部７４は、シャッター２２の移動方向と直交する方向に延びるように形成されている。そして、ハウジング側凹部７４は、その断面がシャッター側凸部７３よりも僅かに大きな矩形状に形成されている。ハウジング側凹部７４は、シャッター２２が閉じ位置にあるときに、シャッター側凸部７３と向かい合う位置に配置されている。
【０１０３】
シャッター２２は、第１部材２２ａと第２部材２２ｂとを備えている。図１７（ａ）（ｂ）に示すように、第１部材２２ａは、縦断面Ｌ字形の板材であり、ディスクケース２１の上面部２１ａから側面部２１ｃに亘って配置されている。第２部材２２ｂは、縦断面Ｌ字形の板材であり、ディスクケース２１の下面部２１ｂから側面部２１ｃに亘って配置されている。そして、ディスクケース２１の側面部２１ｃにおいて、第１部材２２ａと第２部材２２ｂとは重なり合っている。シャッター２２がこのような構成をとることにより、シャッター側凸部７３は、ハウジング側凹部７４内に挿入された挿入位置と、ハウジング側凹部７４から離脱した離脱位置との間で変位可能となっている。シャッター側凸部７３は、ディスクケース２１の外側に配置されており、離脱位置は挿入位置よりもさらに外側に位置する。
【０１０４】
第１部材２２ａと第２部材２２ｂは、例えば図略のバネなどの付勢手段を用いることにより、ディスクケース２３内側に向かって引っ張られる構成とするのが望ましい。そして、付勢手段による付勢力に抗して第１部材２２ａ及び第２部材２２ｂをそれぞれディスクケース２１の厚み方向外側に変位させるために、例えば第１部材２２ａ及び第２部材２２ｂに突起部７６を設けるようにしてもよい。そうすれば、この突起部７６を利用してシャッター側凸部７３を挿入位置から離脱位置へと容易に移動させることができる。なお、突起部７６は、リング状、鉤形、柱状等どのような形状でもよい。この突起部７６を光情報記録再生装置内の部材等の専用の部材で把持したり引っ掛けたりすることで、シャッター２２をディスクケース２１から浮かせることができる。ただし、突起部７６は、シャッター機能を損なわないように、できるだけ突出量の小さいものが好ましい。すなわち、人手で開けられないようにすることが必要である。なお突起部７６ではなく、第１部材２２ａ及び第２部材２２ｂに溝部を形成しておき、この溝部を利用してシャッター２２を浮かせるようにしてもよい。
【０１０５】
本実施形態７では、光情報記録再生装置外にあるとき等のシャッター２２が閉じた状態の場合には、シャッター側凸部７３とハウジング側凹部７４とが噛み合い、または強く接触することにより、シャッター２２を簡単に開けることはできない。そして、シャッター２２が閉じているときには、これまで述べてきた例と同様に、メディア２３を完全遮光することができる。すなわち、シャッター２２が閉じ位置にあるときには、シャッター側凸部７３がハウジング側凹部７４に挿入されているため、外部の迷光がディスクカートリッジ内に侵入しようとする場合には、迷光はシャッター側凸部７３とハウジング側凹部７４との間の隙間を通ることとなる。ハウジング側凹部７４を奥に向かって進む迷光は、シャッター側凸部７３の先端部で折り曲げられる（第１段階）。この折り曲げられた迷光は、ハウジング側凹部７４の側壁にあたって再び折り曲げられる（第２段階）。そして、迷光はハウジング側凹部７４の側壁とシャッター側凸部７３との間を進み、ハウジング側凹部７４から出たところでシャッター２２に当たって再び折り曲げられることになる（第３段階)。このとき仮に、シャッター２２とディスクケース２１との間に隙間があれば、迷光はその隙間を通して開口部７５内へと侵入することとなる。しかし、すでに迷光は３段階で折り曲げられているために、開口部７５内へ侵入する光量を充分に低減することができる。
【０１０６】
シャッター２２を開くには、突起部７６を利用して第１部材２２ａ及び第２部材２２ｂをディスクケース２１から浮かせ、その後ディスクケース２１表面とほぼ平行な方向にスライドさせればよい。これにより、メディア２３の一部を露出させることができる。
【０１０７】
以上説明したように、本実施形態では、前記光路折曲部は、前記シャッターの両端部を折り曲げることによって形成されたシャッター側凸部と、このシャッター側凸部に対応して前記ハウジングに形成されたハウジング側凹部とからなる。
【０１０８】
この態様では、シャッターの両端部にそれぞれシャッター側凸部が設けられるので、迷光の侵入をシャッターの両側でそれぞれ抑制することができ、フォトンモード光情報記録媒体の光学的な特性劣化をより生じ難くすることができる。そして、本構成を採用することにより、簡便な構成で十分な完全遮光を行うディスクカートリッジを提供することが可能となる。しかも従来の光ディスクメディアのように、例えばユーザーがシャッターを容易に開けてメディアを露出させることが困難となるため、特にフォトンモード記録用のメディアを誤操作により使用不能にする恐れを大きく低減することができる。
【０１０９】
そして、本実施形態７では、前記シャッター側凸部は、前記シャッターの端部が内側に折り曲げられることによって形成されており、前記シャッター側凸部は、前記ハウジングの外側に配置されるとともに、前記ハウジング側凹部に挿入される挿入位置とこの挿入位置よりも外側の離脱位置との間で変位可能に構成されている。
【０１１０】
この態様では、シャッター側凸部が挿入位置にあるときに、迷光が２段階に折り曲げられることにより、迷光がフォトンモード光情報記録媒体に到達し難くすることができる。一方、シャッター側凸部を挿入位置から離脱位置へ移動させないとシャッターを開き位置へ移動させることができないので、シャッターを開けることを目的としてない場合にシャッターが不用意に開いてしまうのを防止することができる。
【０１１１】
また本実施形態７では、前記シャッターは、複数の部材からなり、これらの部材が一部重なり合うように構成されている。
【０１１２】
この態様では、迷光の遮光効果を維持しつつ、シャッターを複数の部材によって構成することが可能となり、シャッターの設計の自由度を向上することができる。
【０１１３】
なお、シャッター２２は、ばね材によって一体ものとして構成されていてもよい。具体的には、シャッター２２は、第１側部と、第２側部と、これらを接続する接続部とを一体的に備えるようにしてもよい。そして、接続部が撓むことによってシャッター２２全体として変形し、これにより第１側部及び第２側部のシャッター側凸部７３が挿入位置と離脱位置との間で変位するようにすることができる。
【０１１４】
その他の作用及び効果は実施形態１と同様である。
【０１１５】
（実施形態８）
図１８は本発明の第８実施形態に係るディスクカートリッジを示している。図１８において、２４はディスクケース、２５はディスクケース２４に移動可能に取り付けられたシャッター、２６はフォトンモード記録に用いるディスク状のメディアである。
【０１１６】
本実施形態８に係るディスクケース２４は、張出部２４ｃが設けられている点で実施形態７と異なる。それ以外は実施形態７と同じである。張出部２４ｃは、ディスクケース２４の上面部２４ａ及び下面部２４ｂをシャッター２５よりも外側に張り出すように厚肉に形成した部位である。これにより、シャッター２５の最外部表面が、ディスクケース表面よりも内側に位置している。
【０１１７】
本実施形態８では、前記ハウジングは、前記シャッターよりも外側に張り出した張出部を備えている。
【０１１８】
この態様では、ハウジングの張出部がシャッターよりも外側に張り出しているので、ユーザー等がシャッターを開けてフォトンモード光情報記録媒体を露出させてしまう危険性をさらに効果的に低減することができる。この構成により、例えば指やピンセット等によりシャッターを開けることがより困難になり、ユーザーがシャッターを開けて未記録のメディアを露出させてしまう危険性をさらに効果的に低減することができる。
【０１１９】
その他の作用及び効果は実施形態７と同様である。
【０１２０】
（実施形態９）
図１９（ａ）及び図１９（ｂ）は本発明の第９実施形態に係るディスクカートリッジを示している。
【０１２１】
図１９（ａ）および図１９（ｂ）において、２７はディスクケース、２８はディスクケース２７に移動可能に取り付けられたシャッター、２９はフォトンモード記録に用いるディスク状のメディアである。図１９（ａ）はシャッター２８が閉じてメディア２９が完全遮光された状態の断面図であり、図１９（ｂ）は、シャッター２８が開きメディア２９の一部が外部に露出した状態の断面図である。
【０１２２】
本実施形態９では、シャッター２８がディスクケース２７の内側に配置されている点で実施形態７と異なっている。そして、シャッター側凸部７８はディスクケース２７側（外側）に折り曲げられている。シャッター側凸部７８は、ディスクケース２７の内側に配置されており、離脱位置は挿入位置よりも内側に位置する。シャッター２８の移動を可能にするため、ディスクケース２７内の空洞部は、実施形態７よりも大きくなっている。
【０１２３】
ハウジング側凹部７９は、ディスクケース２７の上面部２７ａの内面及び下面部２７ｂの内面にそれぞれ設けられている。そして、上面部２７ａ及び下面部２７ｂにおいて、それぞれハウジング側凹部７９は、開口部８０を挟んでシャッター２８の移動方向における両側に設けられている。
【０１２４】
シャッター２８は、第１部材２８ａと第２部材２８ｂとを備えている。第１部材２８ａは上面部２７ａの開口部８０を開閉し、第２部材２８ｂは下面部２７ｂの開口部８０を開閉する。第１部材２８ａと第２部材２８ｂは、例えば図略のバネなどの付勢手段を用いることにより、ディスクケース２７の内側から外側に向かって付勢される構成としてもよい。
【０１２５】
シャッター２８を開くには、例えば光情報記録再生装置内の部材によってシャッター２８をディスクケース２７内側に向かって押圧し、それによってシャッター側凸部７８を離脱位置へ変位させ、そのままディスクケース２７表面とほぼ平行な方向にスライドさせてシャッター２８を開ければよい。これによりメディア２９の一部を露出させることができる。
【０１２６】
以上説明したように、本実施形態９では、前記シャッター側凸部は、前記シャッターの端部が外側に折り曲げられることによって形成されており、前記シャッター側凸部は、前記ハウジングの内側に配置されるとともに、前記ハウジング側凹部に挿入される挿入位置とこの挿入位置よりも内側の離脱位置との間で変位可能に構成されている。
【０１２７】
この態様では、シャッター側凸部が挿入位置にあるときに、迷光が２段階に折り曲げられることにより、迷光がフォトンモード光情報記録媒体に到達し難くすることができる。一方、シャッター側凸部を挿入位置から離脱位置へ移動させないとシャッターを開き位置へ移動させることができないので、シャッターを開けることを目的としてない場合にシャッターが不用意に開いてしまうのを防止することができる。本構成を用いることにより、簡便な構成で十分な完全遮光を行うディスクカートリッジを提供することが可能となる。しかも従来の光ディスクメディアのように、例えばユーザーがシャッターを容易に開けてメディアを露出させることが困難となるため、特にフォトンモード記録用のメディアを誤操作により使用不能にする恐れを大きく低減することができる。
【０１２８】
その他の作用及び効果は実施形態７と同様である。
【０１２９】
（実施形態１０）
図２０は本発明の第１０実施形態に係るディスクカートリッジを示している。本実施形態では、ディスクケースに形状の異なる複数の開口部が設けられている。
【０１３０】
図２０（ａ）から図２０（ｃ）において、３０はディスクケース、３１はディスクケース３０に移動可能に取り付けられたシャッター、３２はシャッター３１と異なる形状のシャッター、３３はフォトンモード記録に用いるディスク状のメディア、３４はシャッター３２が開いたときの開口部である。開口部３４は、開口部８２と異なる用途を有する。
【０１３１】
一般に用いられるホログラムメディア等のフォトン記録用メディアの多くは有機材料である。このため、特定波長の光に感光することにより、メディア内の光強度分布に沿ったモノマーからポリマーへの重合が生じる。この変化により実質的に屈折率変化が起こり、その分布が記録される。例えばシフト多重方式のホログラム記録においては、ホログラム記録位置をわずかにずらして多重ホログラムを形成していくので、ある領域に存在するモノマーを少しずつ消費する（ポリマーに変化させる）ことになる。一般にホログラム記録再生装置においては、再生光として記録光（信号光及び参照光）の一部または全部を用いるため、モノマーが残っていると再生光によってポリマー化が生じる。このとき、モノマーの消費は再生光の吸収と、メディア屈折率の変化を伴うので、モノマーを消費しながら再生した場合の再生信号と、モノマー消費のない状態での再生信号が異なることとなる。このため、例えば実消費のモノマーが多く含まれた状態であると、再生のたび毎に信号が変化するという不都合が生じる。この不都合を回避するため、通常は記録終了後にインコヒーレントな光をメディアの記録済み領域に照射し、残っているモノマーを全て消費するようにしている（一般には「キュア」と言う。）。上述したように、キュアに用いる光源はインコヒーレントな光を発するものが望ましいため、例えば光記録再生に用いるレーザ光源とは別に、ＬＥＤ等を装置内に設ける場合が多い。メディアの種類にもよるが、残モノマーを完全に消費するためには、キュアに十分な光照射が必要である。従って、照射パワー密度×照射時間で表される積算光量として十分なエネルギーを与えることが重要となる。
【０１３２】
図２０（ａ）は、ディスクカートリッジが光情報記録再生装置外にある時の状態を示す斜視図である。すなわち、何れのシャッター３１，３２も閉じられている。図２０（ｂ）は、ディスクカートリッジを光情報記録再生装置内に挿入して光記録を行う際のディスクカートリッジの状態を示す斜視図である。このときはシャッター３１が開放され、シャッター３２は閉じられている。図２０（ｃ）は光情報記録再生装置内で光記録と同時にキュアを行う時のディスクカートリッジの状態を示す斜視図である。このときは何れのシャッター３１，３２も開かれている。
【０１３３】
本例に示す構成は、情報記録と同時に、すでに記録済みの領域をキュアすることを可能にする。すなわち、ディスクケース３０とシャッター３１、およびディスクケース３０とシャッター３２は、これまで述べた構造と同様であり、図２０（ａ）の状態においてメディア３３が完全遮光される構造になっている。すなわち、シャッター３１及びシャッター３２として、実施形態１から９の何れかの構成を採用することができる。
【０１３４】
シャッター３１とシャッター３２はそれぞれ独立にスライド可能であることが望ましい。例えばシャッター３１とシャッター３２とを別個独立に形成すれば、両者を別個に移動可能な構成にすることができる。これにより光記録とキュアの一方のみを行うこともでき、または光記録とキュアを同時に行うこともできる。
【０１３５】
本実施形態１０では、前記ハウジングには、前記開口部が複数設けられ、前記シャッターは、前記各開口部に設けられている。
【０１３６】
この態様では、ハウジングに目的の異なる複数の開口部が設けられる場合においても、迷光の侵入を抑制することができる。
【０１３７】
しかも本実施形態１０では、前記シャッターは、それぞれ独立して移動できるように構成されている。
【０１３８】
この態様では、各シャッターを必要に応じて開けることが可能となる。これにより、シャッターの不要な開放を回避でき、フォトンモード光情報記録媒体の光学的な特性劣化をより生じ難くすることができる。
【０１３９】
なお、実施形態１〜４、６及び１０においては、シャッターが一体構造からなる場合について説明してきたが、本発明はこれに限られるものではなく、例えばディスクケースの任意の開口部を２以上のシャッターにより構成することも可能である。このとき同一開口部に配置された複数のシャッターの少なくとも一部を重ねるか、あるいは複数のシャッターが互いに一部を挟み込む構造を有することで、同様の遮光効果を得ることができる。
【０１４０】
（実施形態１１）
メディアの感光波長帯の光照射を完全に遮るためには、上述してきた例のようにディスクカートリッジ構造による完全遮光を実現するのとは別に、ディスクケースおよびシャッターの材質的なアプローチによる遮光が必要である。例えば一般的なホログラムメディア等は、可視光（特に５５０ｎｍ以下の波長を有する光）に対して感度を有するため、ディスクケースおよびシャッターの材質として、一般的な光ディスクカートリッジに用いられているような安価なプラスティックではなく、カーボン等を含有する高価な材料を用いる必要がある。そのため、我々は安価なプラスティック材料に光吸収性を持つ材料を混ぜ、さらに厚いディスクケースとシャッターとからなるディスクカートリッジを用いることを検討した。
【０１４１】
具体的には、波長５５０ｎｍ以下の波長帯に対して大きな吸収特性を示す有機色素をポリカーボネートに混合し、様々な厚みの板を試作した。そして、その光透過特性を比較した。本実験により、波長５３２ｎｍの光に対する板厚と透過率の関係は、板厚０．５ｍｍで透過率約３％、板厚０．７ｍｍで透過率約０．００５％、板厚１．０ｍｍで透過率約０．０００１％、板厚２ｍｍで透過率約０．０００００１％以下という結果が得られた。
【０１４２】
一般的に、日差しの最も強い場合の直射日光下での光照射強度は、約８００００ルクス（＝８００００ルーメン／ｍ２）であると言われている。そのうち上記のホログラムメディアが感光する波長帯のエネルギー量は、多めに見積もって約１００ワット／ｍ２と考えることができる。１ワット＝１ジュール／ｓｅｃであるので、上記エネルギー量は約１０ミリジュール／ｃｍ２／ｓｅｃとなる。一方、ホログラムメディアの記録は例えば２ｍｍ×２ｍｍの大きさを有する１ホログラムあたり約１０マイクロジュールのエネルギーで行われる。そして、メディアに照射される不要な光（感光体が反応する波長帯）のエネルギーが、積算エネルギーとして２５ミリジュール／ｃｍ２与えられるとメディアとしての劣化状態となる。つまり、強い直射日光下で裸のメディアを放置すると約２．５秒で劣化することになる。これらの試算と実験結果から、実際の使用を考慮すると、例えば直射日光下で５時間放置しても２５ミリジュール／ｃｍ２に達しないようにするには、ディスクケースまたはシャッターの透過率を０．０１％以下にする必要がある。
【０１４３】
我々の実験結果より、上記材料をディスクケースやシャッター等の材料として用いた場合には、約０．７ｍｍ以上の肉厚を有していれば内部にあるメディアへの光照射量を上述の範囲内にすることができるという結果が得られた。現在最も一般的なホログラムメディアの厚みが約１ｍｍであり、またメディアの回転に対する機械的マージンを確保するためメディアとディスクケースあるいはシャッターとの最低間隔を０．８ｍｍ（ＤＶＤなどの光ディスクと同程度）以上とすると、ディスクカートリッジ全体としての厚みを４ｍｍ以上とすることにより、光学的特性劣化を十分確保したディスクケースを得ることができる。また、更に過酷な条件下として、例えば直射日光下で５００時間放置しても２５ミリジュール／ｃｍ２に達しないようにするには、ディスクケースまたはシャッターの透過率を０．００００７％以下にする必要がある。上記と同様の材料をディスクケースとして用いた場合には、２ｍｍ以上の肉厚を有していれば内部にあるメディアへの光照射量を上述の範囲内にすることができ、高い信頼性を有するディスクカートリッジを提供することが可能になる。
【０１４４】
（実施の形態１２）
実施の形態１〜１１においては、フォトンモード光情報記録に用いるディスクカートリッジとして有効な、完全遮光可能なディスクカートリッジについて述べてきたが、本実施の形態１２では、実施の形態１〜１１の何れかに示したディスクカートリッジを用いる光情報記録再生装置について述べる。
【０１４５】
フォトンモード光情報記録再生装置の最も重要な要素の一つは、情報記録時のメディアの遮光である。光磁気ディスクやＤＶＤに代表される一般的な光記録再生装置は、光学的な遮閉構造を必要としていないため、例えばメディア挿入部等の隙間から取り込まれる外部光がディスクカートリッジやメディアに届いてしまう構造となっている。しかしながら、フォトンモード光情報記録再生装置においては、装置内でメディアが露出する際に、迷光に対する遮光が十分に行われる必要がある。
【０１４６】
そこで我々は以下に示す構成を検討した。図２１は、光情報記録再生装置内で光記録の際に露出するメディアへの迷光の進入を抑える構成の一例を示している。
【０１４７】
図２１において、３５はメディアを内包して完全遮光した構造を有するディスクカートリッジ、３６は光情報記録再生装置内でディスクカートリッジ３５を保持する保持部としてのトレー、３７ａ及び３７ｂはディスクカートリッジ３５またはトレー３６と隙間無く接触する部分を有する構造体である。トレー３６及び構造体３７ａ，３７ｂは、光情報記録再生装置に設けられるものである。
【０１４８】
例えば透過型のホログラム記録方式を採用する場合、図２２に示すように、ディスクカートリッジ３５を挟んで光ヘッド８５の光照射部及び信号受光部が配置される。光照射部には、レンズを通して信号光ビームをメディア３５ａに照射する信号部８５ａと、レンズを通して参照光ビームをメディア３５ａに照射する参照部８５ｂとが含まれている。また前記信号受光部には、信号光ビームを検知するイメージングデバイス８５ｅ等が含まれる信号部８５ｃと、参照光ビームが入射されるビームストッパー８５ｆ等が含まれる参照部８５ｄとが含まれている。メディア３５ａには、信号光ビームと参照光ビームがＹ−Ｚ面内における別の方向からそれぞれ入射する。そして、ホログラム記録方式として角度多重方式を採用する場合には、信号光ビーム及び参照光ビームの入射角度を図のＹ−Ｚ面内で変化させることによって多重記録を行うことが必要となる。さらに、メディア３５ａの内周部から外周部に亘る任意の領域で記録を行う場合には、レンズやイメージングデバイス８５ｅ等を含む光ヘッド８５全体をメディア３５ａの半径方向（図中のＹ方向）に沿って移動させることが必要となる。このため、トレー３６、構造体３７ａ及び構造体３７ｂのいずれにおいても、光ヘッド８５等の光学部品とメディア３５ａとの光学的または機械的アクセスを妨げないことが重要である。
【０１４９】
このため、図２１に示すように、トレー３６の底面部３６ａに開口部３６ｂが設けられる一方、構造体３７ａ，３７ｂにはディスクカートリッジ３５の開口部を挟んで両側に遮光板３７ｃが設けられている。トレー３６の開口部３６ｂは、底面部３６ａに載置されたディスクカートリッジ３５の開口部を含む範囲に形成されている。
【０１５０】
構造体３７ａ及び構造体３７ｂは、いずれもトレー３６に取り付けられるものであり、本体部３７ｄと、この本体部３７ｄの両端に形成された脚部３７ｅと、本体部３７ｄに設けられた前記遮光板３７ｃとを備えている。両脚部３７ｅでトレー３６を挟み込むことによって、構造体３７ａ，３７ｂはトレー３６に結合される。そして、構造体３７ａと構造体３７ｂとの間にトレー３６が挟み込まれるようになっている。
【０１５１】
前記本体部３７ｄは、トレー３６の底面部３６ａとほぼ同じ形状であり、この本体部３７ｄには開口部３７ｆが設けられている。この開口部３７ｆは、ディスクカートリッジ３５の開口部を含む範囲に形成されるものである。
【０１５２】
メディア３５ａの接線方向（Ｘ方向）における開口部３７ｆの両側に、平板状の前記遮光板３７ｃが設けられている。すなわち、光ヘッド８５がメディアの半径方向（Ｙ方向）に移動するようになっているため、Ｙ方向におけるディスクカートリッジ３５の開口部の両側には遮光板３７ｃを設けないようにしている。
【０１５３】
遮光板３７ｃは、メディア３５ａに対して垂直な方向に立ち上がっており、Ｙ方向に平行な壁構造となっている。この遮光板３７ｃにより、迷光がＸ方向における両側からメディア３５ａに侵入するのを遮ることができる。これにより、例えば遮光板３７ｃとメディア３５ａとで形成されるディスクカートリッジ３５上下の空間８７において、大幅な遮光を行うことができ、光情報記録再生装置内での光学的要因によるメディア特性劣化を回避することが可能となる。これにより、光情報記録再生装置内でトレー３６周辺に配置される部材等が配置の制約を受けるのを抑制することができる。
【０１５４】
光情報記録再生装置８８は、図２３に示すように、制御部８９、前記光ヘッド８５、記録再生部９０、トレー３６の駆動機構（第１駆動機構）９１、構造体３７ａ，３７ｂの駆動機構（第２駆動機構）９２、シャッター開閉機構９３、光ヘッド８５の駆動機構（第３駆動機構）９４等を備えている。第１駆動機構９１は、トレー３６を外側位置と内側位置との間で移動させる。外側位置とは、トレー３６が装置外に送り出された位置をいい、内側位置とは、トレー３６が装置内に引き込まれた位置をいう。第２駆動機構９２は、構造体３７ａ，３７ｂを接合位置と離間位置との間で移動させる。接合位置とは、構造体３７ａ，３７ｂがトレー３６に接合する位置であり、離間位置とは、構造体３７ａ，３７ｂがトレー３６から引き離された位置である。シャッター開閉機構９３は、ディスクカートリッジ３５のシャッター３５ｂを閉じ位置と開き位置との間で移動させるものであり、例えば内側位置にあるトレー３６に載置されたディスクカートリッジ３５のシャッター３５ｂにアクセスできるアーム（図示省略）を有する。第３駆動機構９４は、光照射部のレンズ等を移動させたり向きを変えたりする。また、この駆動機構９４は、光ヘッド８５自体の移動も行う。
【０１５５】
光情報記録再生装置において、例えば、ディスクカートリッジ３５の保持機構として機能するトレー３６にディスクカートリッジ３５を載せ、このトレー３６を第１駆動機構９１によって装置内に挿入する。そうすると、第２駆動機構９２は、構造体３７ａおよび構造体３７ｂを離間位置から接合位置へ移動させる。これにより、構造体３７ａと構造体３７ｂは、ディスクカートリッジ３５とともにトレー３６を上下から挟み込み、構造体３７ａ，３７ｂとトレー３６とが密着する。ここで、シャッター３５ｂの可動範囲にディスクカートリッジ３５と構造体３７ａ、３７ｂとが接触しないように凹部を設けるようにすれば、シャッター開閉を容易に行うことができる。なお、第２駆動機構を省略してもよい。この場合、構造体３７ａと構造体３７ｂを接合された状態に形成しておき、ディスクカートリッジ３５が載置されたトレー３６を両構造体３７ａ，３７ｂ間に挿入する構成となる。
【０１５６】
トレー３６に構造体３７ａ，３７ｂが密着したときには、ディスクカートリッジ３５のシャッター３５ｂは閉じた状態になっている。そして、このシャッター３５ｂは、構造体３７ａおよび３７ｂによる遮光が確認されてから開くことが望ましい。例えば、前記空間８７の内部に、光量を検知する検知器としてのセンサー９５を配置してもよい。この場合の制御動作を図２４に示す。まずトレー３６が外側位置から内側位置へと移動し、ディスクカートリッジ３５が装置内へ導入されると（ステップＳＴ１）、センサー９５によって前記空間８７内の光量検知が行われる（ステップＳＴ２）。そして、制御部８９において、光量が所定値以下であるかによってシャッター３５ｂの開き動作の可否が判定され（ステップＳＴ３）、光量が所定値以下になるまでシャッター３５ｂは閉じ位置に維持される。そして、光量が所定値以下になると、アームを駆動してシャッター３５ｂを開放する（ステップＳＴ４）。このようにして、例えば装置の故障等で前記空間８７内に迷光が侵入したままで、ディスクカートリッジ３５のシャッター３５ｂを開いてしまうということを回避することができる。これにより、メディア３５ａの劣化を有効に抑止することができる。
【０１５７】
また、光情報記録再生装置のディスクカートリッジ挿入口からの迷光を避けるため、ディスクカートリッジ３５が挿入された後、このディスクカートリッジ３５と構造体３７ａ，３７ｂとが一体化して、ディスクカートリッジ厚み方向（上下方向）に移動することが望ましい。これにより、上記のディスクカートリッジ３５もしくはトレー３６と構造体３７ａ，３７ｂが形成する空間の遮光をより効果的に行うことができる。
【０１５８】
本実施形態１２は、フォトンモード光情報記録媒体の記録及び再生の少なくとも一方を行う情報記録再生装置であって、前記ディスクカートリッジを保持する保持部と、前記ディスクカートリッジへの迷光の侵入を抑制する遮光板を有し、前記保持部に取り付けられる構造体とを備えている。
【０１５９】
したがって、光記録の際に遮光板によってディスクカートリッジへの迷光の侵入を抑制できるので、フォトンモード記録媒体の劣化を抑制することができる。
【０１６０】
しかも本実施形態１２では、前記ディスクカートリッジと前記遮光板とによって形成される空間の光量を検知する検知器と、前記検知器による検知結果に基づいて、前記シャッターの開閉可否の判定を行う制御部とを備えている。
【０１６１】
この態様によれば、装置の故障等によって迷光が侵入している状態であるにもかかわらずシャッターが開放されてしまうのを確実に防止することができる。
【産業上の利用可能性】
【０１６２】
本発明は、フォトンモード光情報記録媒体が収納されたディスクカートリッジに利用できるとともに、フォトンモード光情報記録媒体の記録及び再生の少なくとも一方を行う情報記録再生装置にも利用することができる。
【図面の簡単な説明】
【０１６３】
【図１】（ａ）〜（ｃ）本発明の実施形態１にかかるディスクカートリッジを示しており、（ａ）はシャッターが閉じた状態の斜視図であり、（ｂ）はシャッターが開いた状態の斜視図であり、（ｃ）は断面図である。
【図２】前記ディスクカートリッジの要部を拡大して示す斜視図である。
【図３】前記ディスクカートリッジにおける迷光の通路を説明するための図である。
【図４】前記ディスクカートリッジに設けられたロック機構を概略的に示す図である。
【図５】（ａ）〜（ｂ）本発明の実施形態２にかかるディスクカートリッジを示しており、（ａ）はシャッターが閉じた状態の断面図であり、（ｂ）はシャッターが開いた状態の断面図である。
【図６】（ａ）前記ディスクカートリッジにスペーサが設けられる場合の斜視図であり、（ｂ）その断面図である。
【図７】前記ディスクカートリッジにさらにガイド溝が設けられる場合の断面図である。
【図８】本発明の実施形態２における別例にかかるディスクカートリッジを示す断面図である。
【図９】（ａ）〜（ｂ）本発明の実施形態３にかかるディスクカートリッジを示しており、（ａ）はシャッターが閉じた状態の断面図であり、（ｂ）はシャッターが開いた状態の断面図である。
【図１０】本発明の実施形態３における別例にかかるディスクカートリッジを示す断面図である。
【図１１】（ａ）〜（ｂ）本発明の実施形態４にかかるディスクカートリッジを示しており、（ａ）はシャッターが閉じた状態の断面図であり、（ｂ）はシャッターが開いた状態の断面図である。
【図１２】本発明の実施形態５にかかるディスクカートリッジの断面図である。
【図１３】前記ディスクカートリッジにおける迷光の通路を説明するための図である。
【図１４】（ａ）〜（ｂ）本発明の実施形態６にかかるディスクカートリッジを示しており、（ａ）はシャッターが閉じた状態の断面図であり、（ｂ）はシャッターが開いた状態の断面図である。
【図１５】（ａ）〜（ｂ）本発明の実施形態６における別例にかかるディスクカートリッジを示しており、（ａ）はシャッターが閉じた状態の断面図であり、（ｂ）はシャッターが開いた状態の断面図である。
【図１６】（ａ）〜（ｂ）本発明の実施形態７にかかるディスクカートリッジを示しており、（ａ）はシャッターが閉じた状態の断面図であり、（ｂ）はシャッターが開いた状態の断面図である。
【図１７】（ａ）〜（ｂ）本発明の実施形態７にかかるディスクカートリッジを示しており、（ａ）はシャッターが閉じた状態の斜視図であり、（ｂ）はシャッターが開いた状態の斜視図である。
【図１８】本発明の実施形態８にかかるディスクカートリッジの断面図である。
【図１９】（ａ）〜（ｂ）本発明の実施形態９にかかるディスクカートリッジを示しており、（ａ）はシャッターが閉じた状態の斜視図であり、（ｂ）はシャッターが開いた状態の斜視図である。
【図２０】（ａ）〜（ｃ）本発明の実施形態１０にかかるディスクカートリッジを示しており、（ａ）は第１のシャッターと第２のシャッターの双方が閉じた状態の斜視図であり、（ｂ）は第１のシャッターが開き、第１のシャッターが閉じた状態の斜視図であり、（ｃ）は第１のシャッターと第２のシャッターの双方が開いた状態の斜視図である。
【図２１】本発明の実施形態１２に係る光情報記録再生装置に設けられる構造体及びトレーをディスクカートリッジと一緒に示す斜視図である。
【図２２】前記光情報記録再生装置の光ヘッドを説明するための概略図である。
【図２３】前記光情報記録再生装置の制御ブロック図である。
【図２４】前記光情報記録再生装置の制御フロー図である。
【図１】
0004652396.tif 000002
【図２】
0004652396.tif 000003
【図３】
0004652396.tif 000004
【図４】
0004652396.tif 000005
【図５】
0004652396.tif 000006
【図６】
0004652396.tif 000007
【図７】
0004652396.tif 000008
【図８】
0004652396.tif 000009
【図９】
0004652396.tif 000010
【図１０】
0004652396.tif 000011
【図１１】
0004652396.tif 000012
【図１２】
0004652396.tif 000013
【図１３】
0004652396.tif 000014
【図１４】
0004652396.tif 000015
【図１５】
0004652396.tif 000016
【図１６】
0004652396.tif 000017
【図１７】
0004652396.tif 000018
【図１８】
0004652396.tif 000019
【図１９】
0004652396.tif 000020
【図２０】
0004652396.tif 000021
【図２１】
0004652396.tif 000022
【図２２】
0004652396.tif 000023
【図２３】
0004652396.tif 000024
【図２４】
0004652396.tif 000025